(57)【要約】【課題】本発明は、形状が大きいパックシートを廃棄物となる包装袋に収納せずに積層せしめた状態で容器に収納することができ、積層せしめた状態であっても一枚ずつの取り出し操作が容易に行うことができ、その後の展開操作が容易に行うことができるポップアップ式のパックシート包装体を提供する。【解決手段】本発明のポップアップ式のパックシート包装体は、積層体の最上位のパックシートが顔形状の上端部両端にその上端部先端より上方に突出した摘み部を備え、横方向にＺ折りに折り畳まれ、その後に縦方向に折り畳まれ、その折り畳まれたパックシートの上記摘み部が前記取り出し口から摘み上げられる位置に置かれて折り畳まれており、前記積層体の他のパックシートが上記積層体の最上位のパックシートと同様にして折り畳まれており、各折り畳まれたパックシートの折り畳み上部が上方の折り畳まれたパックシートの折り畳み下部に載置されていることを特徴とする。【選択図】  図５
2010285176.tif 000002
【特許請求の範囲】
【請求項１】
顔形状に形成されたパックシートを使用時に展開できるように折り畳み、その折り畳まれたパックシートを上下に複数枚積層してなる積層体を、上面に開閉自在な取り出し口を有する包装容器で包装したポップアップ式のパックシート包装体であって、
前記積層体の最上位のパックシートが顔形状の上端部両端にその上端部先端より上方に突出した摘み部を備え、横方向にＺ折りに折り畳まれ、その後に縦方向に折り畳まれ、その折り畳まれたパックシートの上記摘み部が前記取り出し口から摘み上げられる位置に置かれて折り畳まれており、
前記積層体の他のパックシートが上記積層体の最上位のパックシートと同様にして折り畳まれており、各折り畳まれたパックシートの折り畳み上部が上方の折り畳まれたパックシートの折り畳み下部に載置されていることを特徴とするポップアップ式のパックシート包装体。
【請求項２】
前記顔形状に形成されたパックシートの形状が顔全体形状であることを特徴とする請求項１に記載のポップアップ式のパックシート包装体。
【請求項３】
前記縦方向に折り畳まれたパックシートがＺ折りであることを特徴とする請求項２に記載のポップアップ式のパックシート包装体。
【請求項４】
前記パックシートの折り畳み上部がその上のパックシートの折り畳み下部と折り畳み中間部に挟まれた状態で積み重ねられて積層体を形成していることを特徴とする請求項３に記載のポップアップ式のパックシート包装体。
【請求項５】
前記摘み部の先端部が重なった又は左右に離れた状態にあることを特徴とする請求項２に記載のポップアップ式のパックシート包装体。
【請求項６】
前記取り出し口から摘み上げられる位置に置かれて折り畳まれている摘み部が折り畳み中間部の縦中央にあることを特徴とする請求項２に記載のポップアップ式のパックシート包装体。
【請求項７】
前記摘み部がその基部に折り曲げ線が設けられており、その長さが折り曲げ線で折り曲げられたときに目尻の位置に届く長さであることを特徴とする請求項２に記載のポップアップ式のパックシート包装体。
【請求項８】
前記横方向にＺ折りに折り畳まれたパックシートが、前記摘み部がさらに頭上に向かって折り返されていることを特徴とする請求項７に記載のポップアップ式のパックシート包装体。
【請求項９】
前記顔全体形状の摘み部がその先端部の左側又は右側の何れか一つに目印を形成することを特徴とする請求項２に記載のポップアップ式のパックシート包装体。
【請求項１０】
前記顔形状に形成されたパックシートの形状が上半部形状又は下半部形状であることを特徴とする請求項１に記載のポップアップ式のパックシート包装体。
【請求項１１】
前記縦方向に折り畳まれたパックシートが谷折りであることを特徴とする請求項１０に記載のポップアップ式のパックシート包装体。
【請求項１２】
前記パックシートの折り畳み上部がその上のパックシートの折り畳み上部と折り畳み下部に挟まれた状態で積み重ねられて積層体を形成していることを特徴とする請求項１１に記載のポップアップ式のパックシート包装体。
【請求項１３】
前記摘み部の先端部が重なった又は左右に離れた状態にあることを特徴とする請求項１０に記載のポップアップ式のパックシート包装体。
【請求項１４】
前記上半部形状の摘み部がその基部に折り曲げ線が設けられており、その長さが折り曲げ線で折り曲げられたときに目尻の位置に届く長さであることを特徴とする請求項１０に記載のポップアップ式のパックシート包装体。
【請求項１５】
前記上半部形状の摘み部がその先端部の左側又は右側の何れか一つに目印を形成することを特徴とする請求項１０に記載のポップアップ式のパックシート包装体。
【請求項１６】
前記下半部形状の摘み部がその両先端部に目印を形成することを特徴とする請求項１５に記載のポップアップ式のパックシート包装体。
【請求項１７】
前記摘み部の重なった取り出し部が前記包装容器の取り出し口から摘み上げられる位置に置かれていることを特徴とする請求項１に記載のポップアップ式のパックシート包装体。
【請求項１８】
前記顔全体形状のパックシートを取り出した後のパックシートの摘み部の重なり部が、取り出し口から摘み上げられる位置に置かれ浮いた状態にあることを特徴とする請求項１に記載のポップアップ式のパックシート包装体。
【請求項１９】
前記上半部形状又は下半部形状のパックシートを取り出した後のパックシートの摘み部の重なり部が、取り出し口から摘み上げられる位置に置かれ浮いた状態にあることを特徴とする請求項１に記載のポップアップ式のパックシート包装体。
【請求項２０】
前記取り出し部が摘み上げられることで、付着力より大きい摩擦力により次の摘み部が前記折り畳み下部から分離すると同時に取り出し口の形状となり、浮いた状態で折り畳み中間部又は折り畳み下部に載置され、そして、前記摘み部を左右方向に引っ張る張力が粘着力よりはるかに大きく働くことを特徴とする請求項１に記載のポップアップ式のパックシート包装体。
【請求項２１】
前記包装容器がフィルム製の包装袋又はプラスチック製容器であることを特徴とする請求項１に記載のポップアップ式のパックシート包装体。
【発明の詳細な説明】
【技術分野】
【０００１】
本発明は、目尻等を含む顔の上半部、口元等を含む顔の下半部や顔全体に潤いを与える、スキンケア化粧品として使用されるパックシートが多数枚積層されたポップアップ式のパックシート包装体に関し、詳しくは、パックシートをポップアップ式に取り出せるように積層したポップアップ式のパックシート包装体に関する。
【背景技術】
【０００２】
パックシートは、美容液・化粧水等の化粧成分を浸透させたシートを目元、目尻、鼻部、口元のようなポイント部や、顔の下半部、上半部、あるいは顔全体に密着状態となるように貼り付けることで、顔の一部や顔全体の美容効果を得るもので、顔の一部をケアするためのパックシートの包装体は、以下に示す特許文献が知られている。
【０００３】
従来の顔の一部を覆うためのパックシートは、パック用化粧液の吸収含浸後においては、パックシート相互の間で、そして、パックシートとその包装容器や包装袋との間で付着が生じ易いために、一枚ずつの取り出しが困難であり、また、パックシートそれ自体の密着性のために二つ折り状態での収納は不可能なことであるという問題を解決するために、パック化粧液を吸収含浸せしめた非可僥性シート両面に、丸味を呈した二つ折り屈曲部形成用可撓性合成樹脂フィルムを積層せしめ、当該屈曲部を上部にして容器に収納して取り出し性を向上する二つ折り収納用パックシート体が提案されている（特許文献１参照）。
【０００４】
そして、上記問題を複数枚の不織布の積層体が折りたたまれてなる基材に、化粧水が不織布基材の質量に対して４〜１１倍含浸され、該積層体を折りたたんだ折り目を外側にして、ポリプロピレン製の容器に配列収納することで解決した化粧水シート積層包装体が提案されており、上記化粧水シートは化粧水含浸シートとしてパッティングに使用した後、該化粧水含浸シートを構成する複数枚の不織布を剥離して、部分的パックに使用することができ、使用性に優れるものである（特許文献２参照）。
【０００５】
次に、顔全体のパックシートの背景技術を述べる。顔全体のパックシートは不織布、紙等の吸水性の高いシート体を素材とし、これに化粧液を含浸させたもので、パックシートを顔に当てたときに、顔面に対するパックシートの密着性を良くするために、パックシートの目、鼻に対応する部分に切り込みを形成すると共に、外周部分に周方向に所定の間隔をおいて複数本の切り込みを放射状に形成し、更に口に対応する部分に開口を形成されたものが用いられており、包装袋に１枚のパックシートを折り畳んで収納するパックシート包装体を形成する、又は、包装袋とパックシートを一緒に折り畳んでパックシート包装体を形成する以下に示す特許文献が知られている。
【０００６】
包装袋に１枚のパックシートを折り畳んで収納するパックシート包装体を形成する折り畳み構造として、使用時の展開性を意図したフェイスパックマスク（パックシートに相当）が知られている。従来のパックシートの折り畳み構造は、３枚重ねで逆Ｚ字状に折り畳まれた状態で包装袋に収納されており、使用時に包装袋から取り出してフェイスパックマスクに備えられた摘みを左右方向に引っ張って横方向に展開するとき、その引っ張りに対する抵抗が強く、強く引っ張り過ぎると、目、鼻、口などの開口部、切り込み部などから簡単に破れることもあって、展開操作が非常に困難である。上記フェイスパックマスクの折り畳み構造は、フェイスパックマスクの左領域が、縦の折り曲げ線で、中央領域の左半分の上面に内折りをした後に外折りをして折り畳み、右領域が、縦の折り曲げ線で、中央領域の右半分の上面に内折りをした後に外折りをして折り畳み、外折りの左端部と右端部を内折りの外縁部よりも左右方向にそれぞれ突出させると共に、この折り畳み後に、横の折り曲げ線で、２つ重ねで折り畳む構造を備えることで、上記問題を解決したフェイスパックマスクの折り畳み構造が提案されている。前記フェイスパックマスクは、その外周縁よりも突出した左右端部が摘みとして形成されており、その左右端部を左右方向に軽く引っ張るだけで、展開操作を容易に行えることが説明されている（特許文献３参照）。
【０００７】
また、他の展開操作が容易に行えるフェイスマスクとして、フェイスマスクの耳周縁部に外方に突出した少なくとも２つの摘み部を形成したものが提案されている。上記フェイスマスクは、上記摘み部の近傍上部に水平方向に設けた折り畳み線で、フェイスマスクの上部を手前側に折り返し、フェイスマスクに横方向をほぼ３等分する折り畳み線で手前側に折り返した後に、裏側へ折り畳まれ３枚重ねとなるＺ折り構造としたシート状物であり、そのシート状物の周縁部に外方に突出した摘み部を少なくとも２つ有し、該摘み部がほぼ対向する位置に設けられている。この両摘み部を左右方向に引っ張るだけで展開操作を容易に行えることが説明されている（特許文献４）。
【０００８】
次に、包装袋とパックシートを一緒に折り畳んでパックシート包装体を形成する特許文献の例として、フェイスマスク（パックシートに相当）は、上記した展開操作が非常に困難な問題に対して、パック用シート（１）の内端部を包装フィルム（１３）の内端側で包むと共に、前記パック用シート（１）とその外側の前記包装フィルム（１３）とを複数箇所の折り線（１４）（１５）に沿って偏平状に折り畳み、前記パック用シート（１）に対して前記折り線（１４）（１５）方向の両側で前記包装フィルム（１３）をシールし且つ前記包装フィルム（１３）の外端側をその内側の前記包装フィルム（１３）にシールして、前記包装フィルム（１３）により前記包装袋（１０）を形成することで解決したパック用シート包装体が提案されている（特許文献５参照）。
【０００９】
そして、フェイスマスクを略直交する２方向の縦方向、横方向の折り目で複数回二つ折りを繰り返して適当な大きさにした後、その折り畳み状態のフェイスマスクを上下に複数枚積層して積層体を構成し、その積層体を保形容器又は包装袋により包装するフェイスマスク包装体が提案されている（特許文献６参照）。
【００１０】
更に、ウエットシートのポップアップ式の積層包装体として、ウエットティッシュの積層包装体が良く知られているが、例えば、ウエットティッシュの包装体はそのサイズが小さく、またエタノール等の殺菌剤を含有する低粘度の含浸液が用いられているので、ウエットティッシュを上下シートの重なり部分を設けてポップアップ式に積層して、ポップアップされたウエットティッシュの端部を引き上げさえすればよくウエットティッシュを展開操作する際に問題が発生することはない（特許文献７、８参照）。
【先行技術文献】
【特許文献】
【００１１】
【特許文献１】実公平０２−３８６７３号公報
【特許文献２】特開２００８−１５０３１７号公報
【特許文献３】特開２００６−４２９８１号公報
【特許文献４】実用新案登録第３０７２０２７号公報
【特許文献５】特開２００６−２２４９７４号公報
【特許文献６】特開２００９−７８８２８号公報
【特許文献７】特開平０８−３１８９７７号公報
【特許文献８】特開２００３−１３５３０５号公報
【発明の概要】
【発明が解決しようとする課題】
【００１２】
特許文献１及び２に示した顔の一部のパックシートは、顔の目尻、顎等の小さい領域をパックするもので、顔の上半部、顔の下半部や顔全体のように大きい領域をパックするものではないので、２つ折りにした状態で積層せしめて容器に収納して取り出すことができるが、大きい領域をパックするパックシートをそのような状態で積層せしめて容器に収納すれば、面積が大きいためにパックシート相互の間で付着が生じ易く、一枚ずつの取り出しが困難となり取り出すことができないものである。
【００１３】
特許文献３〜５に示した顔全体のパックシートは、１枚のパックシートを個別収納するものであって、複数枚のパックシートを積層して集積収納するパックシート包装体ではないために、１枚のパックシートを使用する度に１枚の包装袋を廃棄することとなり、現状では２倍の廃棄物を処理する必要が生じている。また、フェイスマスクの周縁部に外方に突出した２つの摘みが形成されていることで、左右方向に引っ張るだけで展開操作が容易に行えるとされているが、該摘みがフェイスマスクの縦方向のほぼ中央の位置に設けられているために、フェイスマスクの上顔の部位と下顔の部位が重なった状態で引っ付いたままで分離が困難な場合もある。
そして、特許文献６に示したウエットティッシュ包装体は、特許文献３〜５に示した顔全体のパックシートと異なり、複数枚積層して積層体を構成しているので、内容物を使い切るまでは包装袋を廃棄する必要はないが、縦方向、横方向の折り目で複数回二つ折りを繰り返していることから、展開操作を行うのに容易にできない恐れがある。
【００１４】
それ故に、本発明の課題は、パックシートを廃棄物となる包装袋に個別に収納せずに積層せしめた状態で一つの容器に集積状態で収納することができ、使用時には積層せしめた状態であってもパックシートを一枚ずつ分離して取り出す操作を容易に行うことができ、その後の展開操作も引き続きワンタッチで容易に行うことができる利便性の高いポップアップ式のパックシート包装体を提供することである。
【課題を解決するための手段】
【００１５】
本発明者は、上記課題を解決するために、鋭意研究に努めた結果、本発明のポップアップ式のパックシート包装体を完成したものである。
即ち、上記課題を解決するために、請求項１に係る発明のポップアップ式のパックシート包装体は、顔形状に形成されたパックシートを使用時に展開できるように折り畳み、その折り畳まれたパックシートを上下に複数枚積層してなる積層体を、上面に開閉自在な取り出し口を有する包装容器で包装したポップアップ式のパックシート包装体であって、前記積層体の最上位のパックシートが顔形状の上端部両端にその上端部先端より上方に突出した摘み部を備え、横方向にＺ折りに折り畳まれ、その後に縦方向に折り畳まれ、その折り畳まれたパックシートの上記摘み部が前記取り出し口から摘み上げられる位置に置かれて折り畳まれており、前記積層体の他のパックシートが上記積層体の最上位のパックシートと同様にして折り畳まれており、各折り畳まれたパックシートの折り畳み上部が上方の折り畳まれたパックシートの折り畳み下部に載置されていることを特徴とする。
同様に、請求項２に係る発明のポップアップ式のパックシート包装体は、前記顔形状に形成されたパックシートの形状が顔全体形状であることを特徴とする。
請求項３に係る発明のポップアップ式のパックシート包装体は、前記縦方向に折り畳まれたパックシートがＺ折りであることを特徴とする。
請求項４に係る発明のポップアップ式のパックシート包装体は、前記パックシートの折り畳み上部がその上のパックシートの折り畳み下部と折り畳み中間部に挟まれた状態で積み重ねられて積層体を形成していることを特徴とする。
請求項５に係る発明のポップアップ式のパックシート包装体は、前記摘み部の先端部が重なった又は左右に離れた状態にあることを特徴とする。
請求項６に係る発明のポップアップ式のパックシート包装体は、前記取り出し口から摘み上げられる位置に置かれて折り畳まれている摘み部が折り畳み中間部の縦中央にあることを特徴とする。
請求項７に係る発明のポップアップ式のパックシート包装体は、前記摘み部がその基部に折り曲げ線が設けられており、その長さが折り曲げ線で折り曲げられたときに目尻の位置に届く長さであることを特徴とする。
請求項８に係る発明のポップアップ式のパックシート包装体は、前記横方向にＺ折りに折り畳まれたパックシートが、前記摘み部がさらに頭上に向かって折り返されていることを特徴とする。
請求項９に係る発明のポップアップ式のパックシート包装体は、前記顔全体形状の摘み部がその先端部の左側又は右側の何れか一つに目印を形成することを特徴とする。
請求項１０に係る発明のポップアップ式のパックシート包装体は、前記顔形状に形成されたパックシートの形状が上半部形状又は下半部形状であることを特徴とする。
請求項１１に係る発明のポップアップ式のパックシート包装体は、前記縦方向に折り畳まれたパックシートが谷折りであることを特徴とする。
請求項１２に係る発明のポップアップ式のパックシート包装体は、前記パックシートの折り畳み上部がその上のパックシートの折り畳み上部と折り畳み下部に挟まれた状態で積み重ねられて積層体を形成していることを特徴とする。
請求項１３に係る発明のポップアップ式のパックシート包装体は、前記摘み部の先端部が重なった又は左右に離れた状態にあることを特徴とする。
請求項１４に係る発明のポップアップ式のパックシート包装体は、前記上半部形状の摘み部がその基部に折り曲げ線が設けられており、その長さが折り曲げ線で折り曲げられたときに目尻の位置に届く長さであることを特徴とする。
請求項１５に係る発明のポップアップ式のパックシート包装体は、前記上半部形状の摘み部がその先端部の左側又は右側の何れか一つに目印を形成することを特徴とする。
請求項１６に係る発明のポップアップ式のパックシート包装体は、前記下半部形状の摘み部がその両先端部に目印を形成することを特徴とする。
請求項１７に係る発明のポップアップ式のパックシート包装体は、前記摘み部の重なった取り出し部が前記包装容器の取り出し口から摘み上げられる位置に置かれていることを特徴とする。
請求項１８に係る発明のポップアップ式のパックシート包装体は、前記顔全体形状のパックシートを取り出した後のパックシートの摘み部の重なり部が、取り出し口から摘み上げられる位置に置かれ浮いた状態にあることを特徴とする。
請求項１９に係る発明のポップアップ式のパックシート包装体は、前記上半部形状又は下半部形状のパックシートを取り出した後のパックシートの摘み部の重なり部が、取り出し口から摘み上げられる位置に置かれ浮いた状態にあることを特徴とする。
請求項２０に係る発明のポップアップ式のパックシート包装体は、前記取り出し部が摘み上げられることで、付着力より大きい摩擦力により次の摘み部が前記折り畳み下部から分離すると同時に取り出し口の形状となり、浮いた状態で折り畳み中間部又は折り畳み下部に載置され、そして、前記摘み部を左右方向に引っ張る張力が粘着力よりはるかに大きく働くことを特徴とする。
請求項２１に係る発明のポップアップ式のパックシート包装体は、前記包装容器がフィルム製の包装袋又はプラスチック製容器であることを特徴とする。
【発明の効果】
【００１６】
本発明のポップアップ式のパックシート包装体は、複数枚のパックシートが積層されて集積体を形成し、この集積体が一つの包装体内部に収納されているので、従来のようにパックシートを個別に包装した包装袋を全て廃棄する必要がなく、二酸化炭素の低減に寄与するものである。
また、本発明のポップアップ式のパックシート包装体は、使用時に各パックシートの摘み部の取り出し部が、取り出し口の視認しやすい位置に配置され、その取り出し部を摘み上げることで、次のパックシートも引っ張り上げられてその取り出し部が、取り出し口から摘み上げられる位置に置かれ浮いた状態で置かれるので、積層せしめた状態であっても一枚ずつ分離して取り出す操作が容易であるという格別の効果を奏する。
【００１７】
そして、前記ポップアップ式のパックシート包装体の各々のパックシートの摘み部は、顔形状の上端部両端にその上端部先端より上方に突出して設けられており、且つ、パックシートが横方向に断面視でＺ字状のＺ折りに折り畳まれていることで、該摘み部を左右方向に引っ張る張力が作用すると、シート重なり部の粘着力よりはるかに大きく働くので、折り畳まれたパックシートを横方向に展開する操作が容易であるという格別の効果を奏する。
更に、前記ポップアップ式のパックシート包装体の顔全体形状及び上半部形状の摘み部は、折り曲げ線で折り曲げられたときに目尻の位置に届く長さであるので、目尻にパック用化粧液を含浸しやすくなるという格別の効果を奏する。
【図面の簡単な説明】
【００１８】
【図１Ａ】パックシートを上下に複数枚積層してなる積層体を気密性のあるフィルム製の包装袋に収納したパックシート包装体の斜視図である。
【図１Ｂ】パックシートを上下に複数枚積層してなる積層体をプラスチック製容器に収納したパックシート包装体の斜視図である。
【図２】図１ＡのI−I線矢視図である。
【図３】蓋ユニット部品の斜視図である。
【図４】全顔形状に成形された基材シートの平面図である。
【図５】全顔形状の基材シートを横方向及び縦方向に折り畳む、基材シートの折り畳み行程を示す説明図である。
【図６Ａ】図５ｉのII−II線矢視図の模式図である。
【図６Ｂ】折り畳まれた基材シートの折り畳み上部が上方の折り畳まれた基材シートに挟まれた状態で上下に複数枚積層された積層体の断面図である。
【図７】全顔形状の基材シートを横方向及び縦方向に折り畳む、基材シートの折り畳み行程の別例を示す説明図である。
【図８】顔の下半部形状の基材シートを横方向及び縦方向に折り畳む、基材シートの折り畳み行程を示す説明図である。
【図９Ａ】包装袋上部に設けられた取り出し口に置かれている、折り畳んだ顔全体形状のパックシートの左右に離れた状態にある摘み部の先端部を示す平面図である。
【図９Ｂ】包装袋上部に設けられた取り出し口に置かれている、折り畳んだ顔全体形状のパックシートの重なった状態にある摘み部の先端部を示す平面図である。
【発明を実施するための形態】
【００１９】
以下、本発明のポップアップ式のパックシート包装体の実施形態の一例を添付図面に従って説明する。なお、前記ポップアップ式のパックシート包装体（以下、「パックシート包装体」という。）を収納する包装容器としては、気密性のあるフィルム製の包装袋、プラスチック製容器、カートン紙製容器、あるいはこれらの組合せなど、ウエットシートの包装容器として一般的に使用されている素材および構造であって、取出口である蓋ユニット部品を備えた包装容器が用いられる。
図１Ａはパックシートを上下に複数枚積層してなる積層体を気密性のあるフィルム製の包装袋に収納したパックシート包装体の外観斜視図である。図１Ｂはパックシートを上下に複数枚積層してなる積層体をプラスチック製容器に収納したパックシート包装体の外観斜視図である。
【００２０】
前記フィルム製の包装袋は、携帯するのに便利なように、プラスチック製容器より横幅が小さく、高さが低くできているために、収納するパックシートの横幅が小さく、枚数が少ないものを入れるのに適している。好ましくは、ピロー包装袋、ガゼット包装袋などを例示できる。袋の包装材は、気密性を維持できるバリア性素材であれば、特段限定されず、各種樹脂フィルムや、金属層を有する積層フィルムなどを好ましく使用できる。一方、プラスチック製容器は、樹脂成形によって得られた容器であり、洗面台、化粧台等に据え置いて使うために、フィルム製の包装袋より横幅が大きく、高さが高くできているために、収納するパックシートの横幅が大きく、枚数が多いものを入れるのに適している。
【００２１】
包装容器としてフィルム製の包装袋にパックシートを収納したパックシート包装体を以下に説明する。図１Ａ及び図１Ｂの符号１はパックシート包装体、符号２は包装容器（フィルム製の包装袋、プラスチック製容器）であり、３は蓋ユニット部品である。
図２は図１ＡのI−I線矢視図である。前記蓋ユニット部品３を備えた包装容器（包装袋）２の内部に、図２に示すようにパックシートを上下に複数枚積層してなる積層体４が収納されている。（この図では、パックシートの折り畳み構造は省略されている。）
前記包装体１は積層体４を収納する構造と基本的に同じものであり、例えば、特許文献７等で知られた構造のものを用いればよいので、その構造と相違する点を後述する。
【００２２】
図３は蓋ユニット部品３の斜視図である。蓋ユニット部品３は図３に示すように、基板５と、該基板５に設けたパックシートの円形取り出し口６と、該円形取り出し口６を覆って密閉することができる開閉自在な蓋体７とから構成される。円形取り出し口６を蓋体７によって密閉するための手段として、基板５の円形取り出し口６の周囲に嵌合受部８が設けられると共に、この嵌合受部８と相互に嵌合可能な嵌合部９が蓋体７に設けられている。嵌合受部８も嵌合部９も共に突起状の周囲壁を有している。一方の周囲壁の内方に他方の周囲壁が入り込むことにより嵌合状態が得られることで、包装容器（包装袋）２の気密性を保持している。
【００２３】
このようにして嵌合部９と嵌合受部８との嵌合により蓋体７が閉じられる。円形取り出し口６を密閉するためには、嵌合部９と嵌合受部８との嵌合状態を密にすればよい。嵌合部９及び嵌合受部８の形状は円輪状に形成するのが好ましい。
なお、パックシートの積層体４を収納する包装容器として包装袋を説明したが、この包装袋に代えてプラスチック製容器であっても上記構造は同じ構造のものを用いることができる。
【００２４】
前記基板５に設けた円形取り出し口６は、ポップアップ式によりパックシートを取り出し易い円形の形状を備えている。該ポップアップ式とは、１枚目のパックシートを完全に取り出したときに、２枚目のパックシートの上端部である摘み部が取り出し口の上方に飛び出す形式のものをいう。このポップアップ式によれば、常にパックシートの摘み部が取り出し口上方に飛び出した状態にあるので、パックシートをつかみ易く、従ってパックシートの取り出しが容易となるという利点がある。
【００２５】
顔全体を覆う場合の全顔パックシートを説明する。図４は顔全体のパック用シートの平面図である。
顔全体のパックシート１１は、全顔形状に形成された基材シート１０に液状化粧料が含浸されたもので、該基材シート１０の素材は不織布、織布等の繊維シート類が用いられるが、不織布が好ましい。従来のパックシートの形状と相違する点は、摘み部１２が該顔形状の基材シート１０のひたい、即ち、上端部の両端（以下、「上端部両端」という。）にその上端部先端より上方に突出して設けられている点、そして、摘み部１２の基部に折り曲げ線１８（折り曲げ線１８は後に説明する。図４参照）が設けられている点である。前記上端部先端は、図４ａに示すようにひたいの中央の最も高い部位を意味している。
【００２６】
上記摘み部１２は、その形状が先端円弧状の角（つの）形状であり、パックシート１１を摘みやすくすると共に折り畳まれたパックシート１１を展開し易くするために設けられている。そして、右の摘み部１２の先端には切り目１３が形成されており、その切り目１３は、摘み部１２を左手で把持するものであることを識別するために設けられている。前記折り曲げ線１８は、パックシート１１を顔面に貼着した後、該折り曲げ線１８の位置で摘み部１２を折り曲げ、目尻の位置へ該摘み部１２を重ねて貼り付けるために設けられている。
【００２７】
符号１４は顔の目の位置に設けられた逆Ｕ字状の切り離し線を示し、折り曲げ線１５で左側に示すようにまぶた部１６が下方向に折り曲げられている。右側も左側と同様にまぶた部１６が下方向に折り曲げられており、パックシート１１を顔面に装着する際には、前記まぶた部１６を外側にして顔面に貼着することでフィット感が良好となる。そのために、前記切り目１３を目印とすることで、ユーザーは切り目１３のある摘み部１２を左手で把持して貼着すれば前記まぶた部１６が外側になる。
【００２８】
符号１７は鼻に設けられたスリットであって、該スリット１７は、パックシート１１を顔面に装着した時に、突出した鼻の形状にパックシートを容易に密着させるために設けられたものである。図示はしていないが、基材シート１０の外周にはパックシート１１を顔面に装着した時に、顔の外形にパックシートが容易に密着させるために、複数のスリットを設けることもできる。
符号１８は、前記摘み部１２の基部に設けられた折り曲げ線（例えば、不連続なスリット線）を示し、パックシート１１を顔面に貼着した後、該折り曲げ線１８の位置で摘み部１２を折り曲げ、目尻の位置へ該摘み部１２を重ねて貼り付ける。この重ねて貼り付けられた摘み部１２は目尻の位置にあるので、目尻に液状化粧料を含浸しやすくする。そのためには、摘み部１２が折り曲げ線１８で折り曲げられたときに、先端円弧状の角形状の長さが目尻の位置に届く長さであることが好ましい。
【００２９】
符号１９及び２０は、基材シート１０の横幅を凡そ３分割する折り畳み線を示し、符号２１及び２２は前記折り畳み線１９、２０とほぼ直交して設けた折り畳み線を示し、基材シート１０の縦幅を凡そ３分割しているが、折り畳み線２２は顎輪郭線と目上輪郭線の凡そ中間に位置している。なお、上記折り畳み線１９〜２２は説明のために一点鎖線で折り畳む位置を示したが、実際には折り畳み機が自動的に基材シート１０を折り畳むので、基材シート１０上に折り畳み線１９〜２２が表示されているわけではない。
【００３０】
最初に、前記パックシート１１の積層体４を包装袋に収納するための、顔全体の形状の基材シート１０の折り畳み行程を説明し、その後にプラスチック包装容器に収納するための、顔全体の形状の基材シート１０の折り畳み行程を説明し、最後に、下半部形状の基材シート１０の折り畳み行程を説明する。
図５は、基材シートを横方向及び縦方向に折り畳む、基材シートの折り畳み行程を示す説明図である。上述したように、前記フィルム製の包装袋は、携帯するのに便利なように、プラスチック製容器より横幅が小さく、高さが低くできているので、この折り畳み行程はフィルム製の包装袋、例えばピロー包装袋に収納する場合に用いることが好ましい。
図５ａに示す顔形状の基材シート１０を折り畳み線に沿って折り畳み、図５ｉに示す折り畳みが完成するまでを以下に順番を追って説明する。
【００３１】
最初に、図５ａの両方のまぶた部１６を折り曲げ線１５で折り曲げ、次に、図５ｂに示すように基材シート１０の右側の摘み部１２を折り曲げ線２０で折り曲げ、図５ｃに示すように基材シート１０を裏返しにする。図５ｄに示すように左側の摘み部１２を折り曲げ線１９で折り曲げ、基材シート１０を横方向に断面視でＺ字状に折り畳む（「Ｚ折り」という）。次に、図５ｅに示すように左側の摘み部１２を頭上に向かって凡そ３０°に折り返し、図５ｆに示すように基材シート１０を裏返しにして、右側の摘み部１２を頭上に向かって凡そ３０°に折り返す。
【００３２】
図５ｇに示すように顎部分を横方向に折り畳まれて形成された折り曲げ線１９、２０と交差して折り曲げ線２２で縦方向に折り畳まれ、図５ｈに示すように基材シート１０の上下を逆転して裏返しにして、下側の摘み部を横方向に折り畳まれて形成された折り曲げ線１９、２０と交差して折り曲げ線２１で縦方向に折り畳まれ、基材シート１０が図５ｉに示すように両摘み部１２の先端部が、重ならない状態で折り畳まれた基材シート１０の縦中央に位置して折り畳まれて完成する。図５ｉの符号４０は、基材シート１０の摘み部１２の重なった取り出し部であり、該取り出し部４０は、包装容器（包装袋）２に積層された基材シート１０が収納された後に、液状化粧料が含浸されてパックシート１１となり、そのパックシート１１を指で把持して取り出す部位を示すものである。
【００３３】
なお、図５ｅ及び図５ｆに示したように、摘み部１２を頭上に向かって凡そ３０°に折り返す行程を説明したが、本発明は、この行程に限定されるものではない。摘み部１２を頭上に向かって凡そ５０°に折り返すことで、左右側の摘み部１２、１２の先端部同士は重なった状態になるので、左右側の摘み部１２、１２の先端部が取り出し部４０となり、左右側の摘み部１２、１２を指で同時に把持できるので、左右側の摘み部１２、１２の一方の摘み部１２だけを指で把持して取り出す恐れがなくなる。従って、左右側の摘み部１２、１２の先端部同士が重なった状態に折り返して折り畳むことが好ましい。図５ｉに示したように、両摘み部１２の先端部が基材シート１０の縦中央に位置して折り畳まれることが重要であるから、摘み部１２の長さが短ければ図５ｅ及び図５ｆに示したような折り返しを行う必要がない。しかしながら、上述したように左右側の摘み部１２、１２を指で同時に把持できるようにするために、左右側の摘み部１２、１２の先端部同士が重なった状態に折り返して折り畳むことが好ましい。
【００３４】
図６Ａは図５ｉのII−II線矢視図の模式図である。図６Ａは完成した縦方向の折り畳み構造が断面視でＺ字状のＺ折り構造であることを示している。ここで、該基材シート１０が横方向に折り畳まれ、その後に縦方向に折り畳まれた上の部位を「折り畳み上部」、中間の部位を「折り畳み中間部」、下の部位を「折り畳み下部」と定義する。従って、符号３１は折り畳み上部を示し、符号３２は折り畳み中間部を示し、符号３３は折り畳み下部を示している。
図５の折り畳み行程から分かるように、前記「折り畳み上部」は、横方向に折り畳まれた後に縦方向に折り畳まれた、主に摘み部を含むものであり、その摘み部を備える折り畳み上部の先端部が折り畳まれた基材シート１０の縦中央に位置して折り畳まれており、前記「折り畳み中間部」は、折り曲げ線２１と２２の間の主に目、鼻の部位を含むものであり、前記「折り畳み下部」は、折り曲げ線２２の下の主に口、顎の部位を含むものである。
【００３５】
図６Ｂは折り畳まれた基材シート１０の折り畳み上部３１が上方の折り畳まれた基材シート１０に挟まれた状態で上下に複数枚積層された積層体４の断面図の模式図である。
前記積層体４の最上位のパックシート１１は、図５に示す折り畳み方で折り畳まれており、該積層体の他のパックシート１１は上記積層体の最上位のパックシート１１と同様にして折り畳まれており、各折り畳まれたパックシート１１の折り畳み上部３１が上方の折り畳み下部３３に載置されている。詳細には、上記折り畳み下部３３と折り畳み中間部３２に挟まれた状態で上下に複数枚積層して積層体４を形成している。換言すれば、積層体４は、該積層体４の最上位のパックシートと同様にして他のパックシート１１が折り畳まれており、各折り畳まれたパックシートの折り畳み上部が上方の折り畳まれたパックシートの折り畳み下部に載置された状態で積層されている。
上記基材シート１０は、包装容器（包装袋）２に収納された積層体をパック用化粧液で含浸することでパックシートとして使用する。
【００３６】
次に、プラスチック製容器に収納するための、基材シート１０の折り畳み行程を説明する。
図７は、基材シートを横方向及び縦方向に折り畳む、基材シートの折り畳み行程の他の例を示す説明図である。
上述したように、プラスチック製容器は、洗面台、化粧台等に据え置いて使うために、フィルム製の包装袋より縦横の幅が大きく、高さが高くできているので、この折り畳み行程はプラスチック製容器に収納する場合に用いることが好ましい。
図７ａに示す顔形状の基材シート１０を折り畳み線に沿って折り畳み、図７ｈに示す折り畳みが完成するまでを以下に順番を追って説明する。
【００３７】
図７ａに示すように、図７ａの折り畳み線１９、２０との間の間隔、そして、折り畳み線２１、２２との間の間隔は、図５ａのその間隔より広く形成されている。
最初に図７ａの両方のまぶた部１６を折り曲げ線１５で折り曲げ、次に、図７ｂに示すように基材シート１０の右側の摘み部１２を折り曲げ線２０で折り曲げ、図７ｃに示すように基材シート１０を裏返しにする。図７ｄに示すように基材シート１０の左側の摘み部１２を折り曲げ線１９で折り曲げ、基材シート１０を横方向にＺ折りで折り畳む。次に、図７ｅに示すように顎部分を折り曲げ線２２で縦方向に折り畳み、図７ｆに示すように基材シート１０の上下を逆転して、図７ｇに示すように下側の摘み部を折り曲げ線２１で縦方向に折り畳むことで、基材シート１０が縦方向にＺ折りで折り畳まれる。基材シート１０が図７ｈに示すように両摘み部１２の先端部が、重ならない状態で折り畳まれた基材シート１０の縦中央に位置して折り畳まれて完成する。図７ｈの符号４０は、基材シート１０の摘み部１２の重なった取り出し部であり、該取り出し部４０は、包装容器（包装袋）２に積層された基材シート１０が収納された後に、液状化粧料が含浸されてパックシート１１となり、そのパックシート１１を指で把持して取り出す部位を示すものである。
【００３８】
なお、図７に示したように、プラスチック製容器に収納する基材シート１０の折り畳み行程を説明したが、基材シート１０の折り畳み行程はこの行程に限定されるものではない。図７ｈに示すように摘み部１２、１２の先端部が重ならずに左右に離れた状態になっているが、重なった状態で折り畳まれることが好ましい。そのためには、図７ｂで右側の摘み部１２を折り曲げ線２０で折り曲げ、図７ｄで基材シート１０の左側の摘み部１２を折り曲げ線１９で折り曲げるのを、折り曲げ線２０を凡そ１０°右に傾けて折り曲げ、曲げ線１９凡そ１０°左に傾けて折り曲げることで、左右側の摘み部１２、１２の先端部同士は重なった状態になり、左右側の摘み部１２、１２の先端部が取り出し部４０となり、左右側の摘み部１２、１２を指で同時に把持できるので、左右側の摘み部１２、１２の一方の摘み部１２だけを指で把持して取り出す恐れがなくなる。従って、左右側の摘み部１２、１２の先端部同士が重なった状態に折り返して折り畳むことが好ましい。
【００３９】
最後に、下半部形状の基材シート１０の折り畳み行程を説明する。
図８は、基材シートを横方向及び縦方向に折り畳む、基材シートの折り畳み行程を示す説明図である。そして、図８ａは顔下半部の基材シート１０の形状の平面図である。
図８ａから分かるように、基材シート１０の下半部形状は、図４のまぶた部１６から下の口、顎を中心とした部位を被覆するために形成されたものである。前記基材シートの摘み部２６は、その先端が略円形の山形状であり、上記下半部形状の基材シート１０の鼻を囲む両端部の上端部先端より上方に突出して設けられているので、パックシート１１が摘み易く、展開し易い構成である。該摘み部２６が上記全顔形状又は上半部形状の摘み部１２と異なる点は、その長さが短い点である。
【００４０】
図８ａの符号２３及び２４は、基材シート１０の横幅を凡そ３分割する折り畳み線を示し、符号２５は、前記折り畳み線２３、２４とほぼ直交して設けた折り畳み線を示し、基材シート１０の縦幅を凡そ４分割した鼻の下に位置している。基材シート１０の上端部両端にその先端より上方に突出した摘み部２６を備え、該摘み部２６は、その形状が半円形状であり、パックシート１１を摘みやすくすると共に折り畳まれたパックシート１１を展開し易くするために設けられている。そして、その両摘み部２６に円形状の小孔２７が設けられており、この小孔２７は、手で基材シート１０を摘む際に、手で摘む摘み部２６であることが分かり易くするために設けられているものである。
【００４１】
最初に、図８ｂに示すように基材シート１０の右側の頬部分を折り曲げ線２４で折り曲げ、図８ｃに示すように基材シート１０を裏返しにする。図８ｄに示すように左側の頬部分を折り曲げ線２３で折り曲げ、基材シート１０を横方向にＺ折りで折り畳む。次に、折り曲げ線２５で縦方向に谷折りで折り畳まれ、図８ｅに示すように両摘み部２６の先端部が、重ならない状態で折り畳まれた基材シート１０の縦中央に位置して折り畳まれて完成する。従って、折り畳まれた下半部形状の基材シート１０は、折り畳み上部３１と折り畳み下部３３から成っている。図８ｅの符号４０は、基材シート１０の摘み部１２の重なった取り出し部であり、該取り出し部４０は、包装容器（包装袋）２に積層された基材シート１０が収納された後に、液状化粧料が含浸されてパックシート１１となり、そのパックシート１１を取り出す部位を示すものである。
【００４２】
なお、図８に示したように、下半部の基材シート１０の折り畳み行程を説明したが、下半部の基材シート１０の折り畳み行程はこの行程に限定されるものではない。図８ｅに示すように摘み部１２、１２の先端部が重ならずに左右に離れた状態になっているが、重なった状態で折り畳まれることが好ましい。そのためには、図８ｂで右側の摘み部１２を折り曲げ線２４で折り曲げ、図８ｄで基材シート１０の左側の摘み部１２を折り曲げ線２３で折り曲げるのを、折り曲げ線２４を凡そ１０°右に傾けて折り曲げ、曲げ線２３を凡そ１０°左に傾けて折り曲げることで、左右側の摘み部１２、１２の先端部同士は重なった状態になるので、左右側の摘み部１２、１２の先端部が取り出し部４０となり、左右側の摘み部１２、１２を指で同時に把持できるので、左右側の摘み部１２、１２の一方の摘み部１２だけを指で把持して取り出す恐れがなくなる。従って、左右側の摘み部１２、１２の先端部同士が重なった状態に折り返して折り畳むことが好ましい。
【００４３】
上述したように、下半部形状の基材シート１０の横方向の折り畳み行程は、顔全体形状の折り畳み行程と同様にＺ折りであるが、縦方向の折り畳み行程は、下半部形状の基材シート１０が谷折りであるのに対して、顔全体形状の基材シート１０がＺ折りである点で相違し、そのために下半部形状の基材シート１０の積層体の積層構造が顔全体形状の基材シート１０と相違し、摘み部２６の方向が左右交互に積層されている。換言すれば、顔全体形状の基材シート１０は、パックシート１１の折り畳み上部３１がその上のパックシートの折り畳み下部３３に載置されてはいるが、詳細には該折り畳み下部３３と折り畳み中間部３２に挟まれた状態で積み重ねられて積層体を形成しているのに対して、下半部形状の基材シート１０は、折り畳み上部３１がその上のパックシートの折り畳み下部３３に載置された状態で積み重ねられて積層体を形成している。
【００４４】
図示していないが、基材シート１０の上半部形状は、図４のまぶた部１６から上の目、額を中心とした部位を被覆するために形成されたもので、図４と同様に摘み部１２が顔形状の上端部両端にその上端部先端より上方に突出して設けられている。上半部形状の基材シート１０の折り畳み行程は、上記下半部の折り畳み行程と同様に横方向に対してＺ折りで、縦方向に対して谷折りであるが、包装袋に収納する場合には、摘み部１２を図５ｅ及び図５ｆで示した折り畳み行程を用いる点が違うだけである。
上述では、パックシート基材を折り畳んでから、液状化粧料を含浸する場合を例にとって説明してきたが、逆に、先にパックシート基材に液状化粧料を含浸してから、折り畳み、積層する方法も採ることができる。
【００４５】
図９Ａは包装袋上部に設けられた取り出し口に置かれている、折り畳んだ顔全体形状のパックシート１１の左右に離れた状態にある摘み部１２の先端部を示す平面図である。
図９Ｂは包装袋上部に設けられた取り出し口に置かれている、折り畳んだ顔全体形状のパックシート１１の重なった状態にある摘み部１２の先端部を示す平面図である。
該パックシート１１を包装容器（包装袋）２から取り出して展開して、顔に貼り付けるまでの行程の概要を説明し、パックシート１１を一枚ずつの取り出す操作、その後の折り畳まれたパックシート１１を展開する操作を詳細に説明する。なお、図６Ｂの積層体４の断面図を必要に応じて参照して説明を行う。
【００４６】
最初に、図９Ａに基づいてパックシート１１の摘み部を指で把持して摘み上げる行程の概要を説明する。
包装容器（包装袋）２に設けられた蓋体７を上方に開くと、密閉状態にあった嵌合部９が嵌合受部８から分離されて円形取り出し口６が現れ、その円形取り出し口６に図９Ａに示す折り畳まれた状態のパックシート１１が視認できる。そのパックシート１１の摘み部１２の先端部は左右に離れた状態にある。その摘み部１２の重なった部位である取り出し部４０が、円形取り出し口６から摘み上げられる位置に置かれているので、左右何れかの指で包装容器（包装袋）２を支えて左右何れかの親指と人差し指で摘み部１２の重なった取り出し部４０を摘み上げ、パックシート１１の折り畳み下部３３の末端が現れるまで上方に引っ張り上げる。
【００４７】
包装容器（包装袋）２に設けられた蓋体７を上方に開くと、密閉状態にあった嵌合部９が嵌合受部８から分離されて円形取り出し口６が現れ、その円形取り出し口６に図９Ａに示す折り畳まれた状態のパックシート１１が視認できる。そのパックシート１１の摘み部１２の先端部は重なった状態にある。その摘み部１２の重なった部位、即ち重なった先端部である取り出し部４０が、円形取り出し口６から摘み上げられる位置に置かれているので、左右何れかの指で包装容器（包装袋）２を支えて左右何れかの親指と人差し指で摘み部１２の重なった取り出し部４０を摘み上げ、パックシート１１の折り畳み下部３３の末端が現れるまで上方に引っ張り上げる。
ここで、上記「取り出し部４０が、円形取り出し口６から摘み上げられる位置に置かれている」の「位置」は、取り出し部４０が円形取り出し口６から指で摘み上げられる位置に置かれていれば何れの場所でも良いが、凡そ中央付近に置かれていれば摘み上げやすいので、中央付近の位置が好ましい位置である。
【００４８】
図６Ｂに示すように、前記パックシート１１が縦方向にＺ折りに折り畳まれているので、該摘み部１２が上方に引っ張り上げられると、続いて折り畳み中間部３２が展開して、次に、折り畳み下部３３がその上に載置している次の摘み部１２を付着力により一緒に円形取り出し口６から引っ張り上げるが、その上に載置している次のパックシートの折り畳み上部３１が嵌合受部８の半円形で直角の下端内周部８ａに当接することで摩擦力が生じて、次の折り畳み上部３１が引っ張り上げられているパックシート１１から分離され、前記パックシート１１が容易に取り出される。次に、取り出したパックシート１１の切り目１３のある摘み部１２を左手で、他の摘み部１２を右手で把持して左右方向に引っ張ると、図４に示したまぶた部１６を外側にして顔面に貼着できるように、折り畳まれたパックシート１１がスムーズに展開されるので、それを顔面に密着させながら貼着させる。
使用開始後、先のシートと分離された次のパックシートの折り畳み上部３１は、円形取り出し口内にゆっくりと落下して摘み部１２の重なった取り出し部４０が凡そ半円形状の浮いた状態で円形取り出し口から摘み上げられる位置に置かれている。それ故に、次にパックシート１１を取り出す際に、上記浮いた状態の取り出し部４０を指で把持することが容易にできる。
【００４９】
次に、パックシート１１を一枚ずつ取り出す操作を説明する。
前記左右何れかの親指と人差し指で摘み部１２の重なった取り出し部４０を摘み上げ、パックシート１１の折り畳み下部３３が現れるまで上方に引っ張り上げると、該折り畳み下部３３の下半分の上に貼着している次のパックシート１１の折り畳み上部３１が、嵌合受部８の半円形で直角の下端内周部８ａに当接することで、前記付着力より大きい直角の下端内周部８ａの摩擦力により、前記次の折り畳み上部３１が前記折り畳み下部３３から分離されて、指で折り畳み上部３１の摘み部１２を把持した状態で一枚のパックシート１１が取り出される。そして、上記次の折り畳み上部３１は、前記取り出し口６の半円形で直角の下端内周部８ａに当接することで凡そ半円形状の形状となり、ゆっくりと落下して浮いた状態で円形取り出し口から摘み上げられる位置に置かれている。それ故に、次にパックシート１１を取り出す際に、上記半円形の浮いた状態の取り出し部４０を指で把持することが容易にできる。
【００５０】
なお、上記上半部形状及び下半部形状のパックシート１１は、縦方向に谷折りに折り畳まれているので、摘み部１２、２６は、摩擦力により次の折り畳み上部３１が折り畳み下部３３から分離されて、ゆっくりと落下して摘み部１２、２６の重なった取り出し部４０が凡そ半円形状の浮いた状態で円形取り出し口から摘み上げられる位置に置かれている。それ故に、次にパックシート１１を取り出す際に、上記半円形状の浮いた状態の取り出し部４０を指で把持することが容易にできる。
【００５１】
上述したことから、ポップアップ式のパックシート包装体は、取り出し部４０を摘み上げることで、湿潤状態にあるパックシート間の付着力より大きい摩擦力により次の摘み部１２が、前記折り畳み下部３３から分離すると同時に凡そ取り出し口６の形状となり、浮いた状態で円形取り出し口内に置く機能を備えていることが分かる。
【００５２】
最後に、折り畳まれたパックシート１１を展開する操作を説明する。
取り出したパックシート１１の切り目１３のある摘み部１２を左手で、他の摘み部１２を右手で把持して左右方向に引っ張るが、上述したように、前記摘み部１２は顔形状の上端部両端にその上端部先端より上方に突出して設けられており、且つ、パックシート１１は横方向にＺ折りに折り畳まれているので、該摘み部を左右方向に引っ張る張力が、高粘度の液状化粧料の使用により粘着力が大きいとしても、その粘着力よりはるかに大きい張力が働くので、パックシート１１を横方向に展開する操作を容易に行うことができる。
上述したことから、ポップアップ式のパックシート包装体は、摘み部１２が上端部両端にその上端部先端より上方に突出して設けられており、且つ、パックシート１１が横方向にＺ折りに折り畳まれていることで、該摘み部を左右方向に引っ張る張力が、粘着力よりはるかに大きい張力が働く機能を備えていることが分かる。
【００５３】
以上述べたように、ポップアップ式のパックシート包装体の包装構造によれば、最上部のパックシートの取り出し部４０を摘み上げることで、付着力より大きい摩擦力により次の摘み部１２が前記折り畳み下部３３から分離すると同時に取り出し口６から視認できる場所に位置し、順繰りにパックシートを取り出すことが可能となる。そして、摘み部１２が顔形状の上端部両端にその上端部先端より上方に突出して設けられており、且つ、パックシート１１が横方向にＺ折りに折り畳まれていることで、該摘み部を左右方向に引っ張る張力が、粘着力よりはるかに大きく働く機能を有するものであり、顔面に装着できる状態となるまで展開が容易となる。
【００５４】
なお、上記の実施形態では取り出し口６の形状を円形として説明したが、本発明の取り出し口６の形状はこれに限定されるものではなく、積層体の大きさに応じて正方形、長方形等の形状であっても良い。例えば、取り出し口６の形状が長方形の場合には、上記次の摘み部１２が前記長方形で直角の下端内周部８ａに当接することで長方形の形状となり、ゆっくりと落下して摘み部１２の重なった取り出し部４０が長方形の浮いた状態で取り出し口から摘み上げられる位置に置かれている。
【００５５】
そして、上記顔全体及び上顔のパックシートの実施形態では、その摘み部１２が該顔全体及び上半部の上端部両端にその先端より上方に突出した状態の形状の例として、先端円弧状の角形状の例を示したが、本発明の摘み部の形状はこの形状に限定されるものではなく、上端部の両端にその上端部先端より上方に突出した状態の形状のものであれば、例えば、長方形状、正方形状、半楕円形状等の様々な形状が利用できる。その摘み部１２の長さは摘み部１２が折り曲げ線１８で折り曲げられたときに、先端円弧状の角形状の長さが目尻の位置に届く長さが好ましい。
更に、右の摘み部１２の先端に切り目１３が形成されるとして説明したが、当然のことながら左の摘み部１２の先端に形成しても良いし、また、切り目１３に限定するものではなく、左であることを示す目印、例えば、小孔のような形状のものやカラーマークのような識別できるものであれば何でも良い。
【００５６】
上記下顔のパックシートの実施形態では、その摘み部１２が下半部形状の上端部両端にその先端より上方に突出した形状であり、その形状の例として、半円形状の例を示したが、本発明の摘み部の形状はこの形状に限定されるものではなく、上端部の両端にその先端より上方に突出した形状のものであれば、例えば、長方形状、正方形状、半楕円形状等の様々な形状が利用できる。ただし、下半部形状のパックシート１１は、まぶた部１６から下の口、顎を中心とした部位を被覆するために形成されたものであるから、当然のことながら、その摘み部１２の長さは短くて良い。
【００５７】
なお、本発明において、乾燥基材シートに対する液状化粧料の好ましい含浸量は、５０重量％〜５００重量％程度である。
【図１Ａ】
2010285176.tif 000003
【図１Ｂ】
2010285176.tif 000004
【図２】
2010285176.tif 000005
【図３】
2010285176.tif 000006
【図４】
2010285176.tif 000007
【図５】
2010285176.tif 000008
【図６Ａ】
2010285176.tif 000009
【図６Ｂ】
2010285176.tif 000010
【図７】
2010285176.tif 000011
【図８】
2010285176.tif 000012
【図９Ａ】
2010285176.tif 000013
【図９Ｂ】
2010285176.tif 000014